(57)【要約】      （修正有）【課題】消費電力量を抑制することが可能な巻替システムを提供する。【解決手段】巻替システムは、原反１から繰り出されるフィルム１ｂを予め設定されたサイクル毎に巻芯１５０に巻き替える巻替装置１００と、巻替装置１００に接続された蓄電装置とを備える。巻替装置１００は、フィルム１ｂを介して巻芯１５０が接触されるドラム５と、ドラム５を駆動するモータとを含み、モータによってドラム５が回転されることにより、ドラム５の回転に応じて従動回転される巻芯１５０がフィルム１ｂを巻き取るように構成されている。蓄電装置は、ドラム５が減速される場合に、モータで発電された電力を蓄電するように構成されている。【選択図】図２
0003183892.tif 000002
【実用新案登録請求の範囲】
【請求項１】
原反から繰り出されるフィルム状物品を予め設定されたサイクル毎に巻芯に巻き替える巻替装置と、
前記巻替装置に接続された蓄電装置とを備え、
前記巻替装置は、フィルム状物品を介して巻芯が接触されるドラムと、前記ドラムを駆動するモータとを含み、前記モータによって前記ドラムが回転されることにより、前記ドラムの回転に応じて従動回転される巻芯がフィルム状物品を巻き取るように構成され、
前記蓄電装置は、前記ドラムが減速される場合に、前記モータで発電された電力を蓄電するように構成されていることを特徴とする巻替システム。
【請求項２】
請求項１に記載の巻替システムにおいて、
前記蓄電装置は、前記ドラムが加速される場合に、前記モータに駆動用の電力を供給するように構成されていることを特徴とする巻替システム。
【請求項３】
請求項１または２に記載の巻替システムにおいて、
前記巻替装置は、前記ドラムが加速され、前記ドラムが高速回転する状態で、巻取位置の巻芯によりフィルム状物品の巻き取りを行い、前記ドラムが減速され、前記ドラムが低速回転する状態で、フィルム状物品を巻き取る巻芯の交換を行うように構成されていることを特徴とする巻替システム。
【請求項４】
請求項３に記載の巻替システムにおいて、
前記巻替装置は、複数の巻芯を着脱可能な旋回部材を含み、巻芯の交換を行う場合に、前記旋回部材を旋回させることにより、巻き取りを行っている巻芯を前記巻取位置から退避させるとともに、新しい巻芯を前記巻取位置に搬送した状態で、フィルム状物品を切断して新しい巻芯に巻き付けるように構成されていることを特徴とする巻替システム。
【考案の詳細な説明】
【技術分野】
【０００１】
本考案は、巻替システムに関する。
【背景技術】
【０００２】
従来、原反のシャフトに巻き付けられたフィルム状物品を所定長ごとに巻芯に巻き替える巻替装置が知られている（たとえば、特許文献１参照）。
【０００３】
特許文献１には、原反から繰り出されるフィルム状物品が供給されるドラムと、ドラムを駆動するモータと、ドラムを挟むように対向配置された一対のターレット機構とを備えた巻替装置が開示されている。
【０００４】
ターレット機構は、複数の巻芯が着脱可能に装着されるとともに、所定の角度ずつ旋回可能に構成されている。また、ターレット機構は、巻取位置の巻芯をドラム側に付勢するように構成されている。このため、巻取位置の巻芯は、フィルム状物品を介してドラムに接触されており、モータによりドラムが回転された場合に従動回転されるようになっている。
【０００５】
そして、巻替装置では、巻取位置の巻芯によるフィルム状物品の巻き取り時には、モータによりドラムが回転されることによって、フィルム状物品が巻取位置の巻芯に送られる。このとき、ドラムの回転に応じて巻取位置の巻芯が従動回転されるので、その巻芯によりフィルム状物品が巻き取られる。
【０００６】
その後、フィルム状物品を巻き取る巻芯の交換時には、ターレット機構が所定の角度だけ旋回される。これにより、巻き取りを行っている巻芯が巻取位置から退避されるとともに、新しい巻芯が巻取位置に搬送される。そして、新しい巻芯が巻取位置に配置された状態でフィルム状物品が切断され、切断端の一方が退避した巻芯に巻き取られるとともに、切断端の他方が巻取位置の新しい巻芯に巻き付けられる。
【０００７】
ここで、巻取位置の巻芯によるフィルム状物品の巻き取りは、ドラムが加速されて高速回転される状態で行われ、フィルム状物品を巻き取る巻芯の交換は、ドラムが減速されて低速回転される状態で行われる。これにより、巻芯が所定長のフィルム状物品を巻き取るのに必要な時間を短くしながら、巻芯の交換を適切（安定的）に行うことが可能である。
【先行技術文献】
【特許文献】
【０００８】
【特許文献１】特公昭４８−２６８号公報
【考案の概要】
【考案が解決しようとする課題】
【０００９】
しかしながら、上記した従来の巻替装置では、ドラムが減速されるときに、モータで発電された電力が抵抗器（回生抵抗）により熱として消費されるという問題点がある。
【００１０】
本考案は、上記の課題を解決するためになされたものであり、本考案の目的は、消費電力量を抑制することが可能な巻替システムを提供することである。
【課題を解決するための手段】
【００１１】
上記した課題を解決するために、本考案による巻替システムは、原反から繰り出されるフィルム状物品を予め設定されたサイクル毎に巻芯に巻き替える巻替装置と、巻替装置に接続された蓄電装置とを備える。巻替装置は、フィルム状物品を介して巻芯が接触されるドラムと、ドラムを駆動するモータとを含み、モータによってドラムが回転されることにより、ドラムの回転に応じて従動回転される巻芯がフィルム状物品を巻き取るように構成されている。蓄電装置は、ドラムが減速される場合に、モータで発電された電力を蓄電するように構成されている。なお、予め設定されたサイクルとは、たとえば、数秒程度の短いサイクルである。
【００１２】
このように構成することによって、回生電力を蓄電して利用することができるので、巻替システムにおける消費電力量を抑制することができる。特に、予め設定されたサイクルが短いサイクルである場合に、回生電力を有効に利用することができるので、巻替システムにおける消費電力量を効果的に抑制することができる。
【００１３】
上記巻替システムにおいて、好ましくは、蓄電装置は、ドラムが加速される場合に、モータに駆動用の電力を供給するように構成されている。
【００１４】
このように構成すれば、消費電力が大きいドラムの加速時に回生電力を利用することにより、最大消費電力が大きくなるのを抑制することができる。
【００１５】
上記巻替システムにおいて、好ましくは、巻替装置は、ドラムが加速され、ドラムが高速回転する状態で、巻取位置の巻芯によりフィルム状物品の巻き取りを行い、ドラムが減速され、ドラムが低速回転する状態で、フィルム状物品を巻き取る巻芯の交換を行うように構成されている。
【００１６】
このように構成すれば、巻芯が所定長のフィルム状物品を巻き取るのに必要な時間を短くしながら、巻芯の交換を適切（安定的）に行うことができる。
【００１７】
この場合において、好ましくは、巻替装置は、複数の巻芯を着脱可能な旋回部材を含み、巻芯の交換を行う場合に、旋回部材を旋回させることにより、巻き取りを行っている巻芯を巻取位置から退避させるとともに、新しい巻芯を巻取位置に搬送した状態で、フィルム状物品を切断して新しい巻芯に巻き付けるように構成されている。
【００１８】
このように構成すれば、巻芯の交換を容易に行うことができる。
【考案の効果】
【００１９】
本考案の巻替システムによれば、消費電力量を抑制することができる。
【図面の簡単な説明】
【００２０】
【図１】本考案の一実施形態による巻替システムの構成を示したブロック図である。
【図２】図１の巻替システムの巻替装置の概略を示した模式図である。
【図３】図２の巻替装置のドラムおよびターレット機構を拡大して示した図である。
【図４】図３の巻替装置において巻取位置の巻芯にフィルムが巻き取られた状態を示した図である。
【図５】図４の巻替装置において巻取位置の巻芯が退避位置に移動されてフィルムが切断された状態を示した図である。
【図６】図２の巻替装置の動作時におけるドラムの表面速度の変化を示したタイミングチャートである。
【考案を実施するための形態】
【００２１】
以下、本考案の一実施形態について図面を参照して説明する。
【００２２】
−構成−
まず、図１〜図３を参照して、本実施形態による巻替システム３００の構成の概略について説明する。
【００２３】
巻替システム３００は、図１に示すように、巻替装置１００と、巻替装置１００に接続された蓄電装置２００とを備えている。この巻替システム３００には、外部電源５００が接続され、外部電源５００から電力が供給されている。
【００２４】
巻替装置１００は、図２に示すように、原反１のシャフト１ａに巻き付けられた食品包装用ラップフィルム（以下、単に「フィルム」という）１ｂを巻芯１５０に巻き替えるように構成されている。具体的には、巻替装置１００は、原反１と、タッチローラ２と、複数のガイドローラ３と、ダンサーローラ４と、ドラム５と、ピンチローラ６と、一対のターレット機構７と、巻芯供給部８とを備えている。
【００２５】
なお、巻芯１５０は、たとえば円筒状の紙管であり、所定長（たとえば、１０〜５０ｍ）のフィルム１ｂが巻き付けられる。すなわち、巻替装置１００は、原反１からのフィルム１ｂを予め設定されたサイクル（たとえば、数秒程度の短いサイクル）毎に巻芯１５０に巻き替えるようになっている。つまり、巻替装置１００は、フィルム１ｂを短尺で巻芯１５０に巻き替えることにより、長尺で巻き替える場合に比べて、１つの巻芯１５０に対してフィルム１ｂの巻き付けを行う１サイクルが短くなっている。
【００２６】
原反１は、シャフト１ａと、シャフト１ａに巻き付けられたフィルム１ｂとを有する。原反１は、シャフト１ａが回転可能に支持されており、フィルム１ｂを繰り出すように構成されている。また、原反１は、フィルム１ｂを繰り出すことによりフィルム１ｂが無くなった場合に交換可能に設けられている。フィルム１ｂは、たとえば、ＰＥ（ポリエチレン）などの樹脂製であり、１０〜２０μｍの厚みと２０〜３０ｃｍの幅とを有する。なお、フィルム１ｂは、本考案の「フィルム状物品」の一例である。
【００２７】
タッチローラ２は、原反１の外周面に接触するとともに、原反１の径に応じて揺動するように構成されている。ガイドローラ３は、原反１から繰り出されるフィルム１ｂをドラム５へと案内する機能を有する。ダンサーローラ４は、原反１の径に応じて揺動することにより、原反１の径の変化によるフィルム１ｂの搬送経路長の変化を打ち消すように構成されている。
【００２８】
ドラム５には、図３に示すように、原反１（図２参照）から繰り出されるフィルム１ｂが供給されており、そのフィルム１ｂを巻芯１５０に送るように構成されている。このドラム５は、モータ２１（図１参照）によってＲ１方向に駆動回転される。また、ドラム５は、軸方向（図３の紙面に対する垂直方向）に延びるように形成された開口部（図示省略）を有する。ドラム５の内部にはフィルム１ｂを切断するためのカッター（図示省略）が設けられ、そのカッターは開口部を介してドラム５の外周面側に突出可能に構成されている。
【００２９】
ピンチローラ６は、原反１から繰り出されるフィルム１ｂをドラム５に押圧するために設けられている。
【００３０】
一対のターレット機構７は、ドラム５の軸方向においてドラム５を挟むように対向配置されている。一対のターレット機構７は、モータ（図示省略）によってＲ１方向に４５度ずつ回転（旋回）するように構成されている。なお、ターレット機構７の回転軸は、ドラム５の回転軸と同軸上に配置されている。また、図面では一対のターレット機構７のうちの一方のみを示した。なお、ターレット機構７は、本考案の「旋回部材」の一例である。
【００３１】
ターレット機構７の外周部には、周方向に所定の間隔を隔てて複数のチャック機構１０が設けられている。本実施形態では、チャック機構１０が４５度間隔で８個設けられている。そして、ターレット機構７は、チャック機構１０を、巻芯供給位置Ｐ１、巻取位置Ｐ２および退避位置Ｐ３の順に搬送するように構成されている。
【００３２】
なお、巻取位置Ｐ２は、ドラム５の上端部近傍であり、フィルム１ｂを主に巻き取るための位置である。巻芯供給位置Ｐ１は、巻取位置Ｐ２からＲ１方向とは反対方向に４５度回転した位置であり、新しい巻芯１５０が供給される位置である。退避位置Ｐ３は、巻取位置Ｐ２からＲ１方向に４５度回転した位置であり、巻芯交換時に、新しい巻芯１５０を巻取位置Ｐ２に搬送するために、巻取位置Ｐ２に位置していた巻芯１５０を巻取位置Ｐ２から退避させるための位置である。
【００３３】
チャック機構１０は、新しい巻芯１５０を挟持し、その挟持した巻芯１５０にフィルム１ｂを巻き付け、フィルム１ｂの巻き付けが完了された巻芯１５０を解放して巻替装置１００から放出するように構成されている。具体的には、チャック機構１０は、巻芯供給位置Ｐ１で新しい巻芯１５０の供給を受け、その新しい巻芯１５０とともに巻取位置Ｐ２に搬送される。そして、チャック機構１０は、巻取位置Ｐ２において予め設定された長さのフィルム１ｂが巻芯１５０に巻き取られると、その巻芯１５０とともに退避位置Ｐ３に搬送される。その後、チャック機構１０は、フィルム１ｂの巻き付けが完了された巻芯１５０を巻替装置１００から放出する。
【００３４】
各チャック機構１０は、回動軸１１と、回動軸１１を中心にして回動（揺動）可能なアーム１２と、アーム１２の先端に設けられた回転部材１３とを含んでいる。回転部材１３は、アーム１２に対して回転可能であるとともに、巻芯１５０を装着可能に構成されている。
【００３５】
また、チャック機構１０には、アーム１２を内側（ドラム５側）に付勢する付勢部材（図示省略）が設けられている。付勢部材は、たとえば引張コイルばねである。チャック機構１０は、たとえば、巻取位置Ｐ２に位置する場合に、付勢部材の付勢力により挟持する巻芯１５０をドラム５の外周面に接触させ、その他の位置に位置する場合に、付勢部材の付勢力に抗してアーム１２の先端をドラム５の外周面に対して離間する側に移動させるように構成されている。このため、巻取位置Ｐ２に位置する巻芯１５０がフィルム１ｂを介してドラム５の外周面に接触されており、その巻芯１５０およびその巻芯１５０が装着された回転部材１３はドラム５の回転に応じて従動回転される。
【００３６】
また、巻取位置Ｐ２の回転部材１３にはベルト（図示省略）が接触されるとともに、そのベルトにはモータ２１（図１参照）の動力が伝達されるようになっている。これにより、従動回転される巻取位置Ｐ２の回転部材１３が増速側に駆動される。このため、巻取位置Ｐ２の巻芯１５０に巻き付けられるフィルム１ｂに対して所定の巻締力（張力）が印加される。なお、巻取位置Ｐ２の回転部材１３が増速側に駆動されても、巻取位置Ｐ２の回転部材１３とその回転部材１３に装着された巻芯１５０との間などで滑りが生じるため、ドラム５の表面速度と、巻取位置Ｐ２の巻芯１５０に巻き取られたフィルム１ｂ（巻径の外周部）の表面速度とはほぼ同じになる。
【００３７】
巻芯供給部８は、巻芯供給位置Ｐ１に新しい巻芯１５０を供給するように構成されている。
【００３８】
また、巻替装置１００は、図１に示すように、ドラム５（図３参照）を駆動するモータ２１と、モータ２１を制御するインバータ２２と、巻替装置１００を制御する制御部２３とを備えている。
【００３９】
モータ２１は、電動機としても機能するとともに、発電機としても機能する。モータ２１の動力は、ドラム５に伝達されるとともに、巻取位置Ｐ２の回転部材１３にも伝達される。また、モータ２１は、インバータ２２を介して蓄電装置２００および外部電源５００に電気的に接続されている。
【００４０】
インバータ２２は、蓄電装置２００および外部電源５００の少なくとも一方から供給される電力によりモータ２１を駆動する（力行制御）とともに、モータ２１で発電された電力を蓄電装置２００に出力する（回生制御）ことが可能である。
【００４１】
制御部２３は、インバータ２２を制御することによりモータ２１を制御するように構成されている。具体的には、制御部２３は、巻取位置Ｐ２の巻芯１５０によりフィルム１ｂを巻き取る場合に、ドラム５が高速Ｎ２（図６参照）になるようにインバータ２２を制御し、フィルム１ｂを巻き取る巻芯１５０を交換する場合に、ドラム５が低速Ｎ１（図６参照）になるようにインバータ２２を制御する。また、制御部２３は、ドラム５の減速時に、モータ２１で発電された電力を蓄電装置２００に蓄電するようにインバータ２２を制御し、ドラム５の加速時に、外部電源５００の電力に蓄電装置２００の電力を加えてモータ２１を駆動するようにインバータ２２を制御する。
【００４２】
また、制御部２３は、ドラム５が一定速（低速Ｎ１または高速Ｎ２）の場合に、外部電源５００の電力を用いてモータ２１を駆動するようにインバータ２２を制御する。なお、制御部２３は、蓄電装置２００の充電状態によっては、ドラム５が一定速の場合に、外部電源５００の電力に蓄電装置２００の電力を加えてモータ２１を駆動するようにインバータ２２を制御してもよい。また、低速Ｎ１の一例は１００ｍ／ｍｉｎであり、高速Ｎ２の一例は６００ｍ／ｍｉｎである。
【００４３】
蓄電装置２００は、たとえば鉛蓄電池などの二次電池であり、モータ２１で発電された電力を蓄電するとともに、その電力（回生電力）をモータ２１に供給するように構成されている。
【００４４】
−動作−
次に、図１〜図６を参照して、本実施形態による巻替システム３００の動作の概略について説明する。以下では、巻替装置１００における機械的な巻替動作を説明した後に、その巻替動作時のモータ２１の制御について説明する。
【００４５】
［巻替装置における巻替動作］
まず、図２および図３に示すように、巻取位置Ｐ２に位置するチャック機構１０が巻芯１５０を挟持している。そして、その巻取位置Ｐ２の巻芯１５０がドラム５側に付勢されており、巻取位置Ｐ２の巻芯１５０がドラム５の外周面に接触されている。なお、巻芯供給位置Ｐ１では、チャック機構１０が新しい巻芯１５０を挟持するとともに、その挟持される巻芯１５０がドラム５から離間されている。
【００４６】
そして、原反１からフィルム１ｂが繰り出される。その原反１から繰り出されたフィルム１ｂは、ガイドローラ３およびダンサーローラ４を介して、ドラム５とピンチローラ６との間に搬送される。
【００４７】
このとき、図３に示すように、モータ２１（図１参照）によりドラム５がＲ１方向に駆動回転され、フィルム１ｂが巻取位置Ｐ２の巻芯１５０に送られる。そして、ドラム５の駆動回転により、巻取位置Ｐ２の巻芯１５０が従動回転されることによって、フィルム１ｂが巻取位置Ｐ２の巻芯１５０に巻き取られる。なお、このとき、巻取位置Ｐ２の回転部材１３が増速側に駆動されており、巻取位置Ｐ２の巻芯１５０に巻き付けられるフィルム１ｂに対して所定の巻締力（張力）が印加される。
【００４８】
その後、図４に示すように、巻取位置Ｐ２の巻芯１５０により予め設定された長さのフィルム１ｂが巻き取られた場合に、巻芯１５０の交換動作が開始される。巻芯交換時には、まず、モータ２１によりドラム５が減速される。このとき、モータ２１で発電された電力が蓄電装置２００（図１参照）に蓄電される。そして、一対のターレット機構７がＲ１方向に４５度回転される。これにより、図５に示すように、巻取位置Ｐ２に位置していた巻芯１５０が退避位置Ｐ３に移動されるとともに、巻芯供給位置Ｐ１に位置していた新しい巻芯１５０が巻取位置Ｐ２に移動される。
【００４９】
なお、このとき、巻芯供給位置Ｐ１に移動されたチャック機構１０により新しい巻芯１５０が挟持される。また、巻取位置Ｐ２に移動された巻芯１５０はドラム５側に付勢される。
【００５０】
そして、回転するドラム５の開口部（図示省略）が巻芯供給位置Ｐ１と巻取位置Ｐ２との間に位置する際に、ドラム５の内部に設けられたカッター（図示省略）が開口部を介してドラム５の外周面側に突出される。これにより、巻芯供給位置Ｐ１と巻取位置Ｐ２との間でフィルム１ｂが切断される。
【００５１】
そして、退避位置Ｐ３の巻芯１５０側の切断端（切断端の一方）１ｄは、退避位置Ｐ３の巻芯１５０に巻き取られる。また、原反１側の切断端（切断端の他方）１ｃに、エアが吹き付けられることによって、その切断端１ｃが巻取位置Ｐ２に位置する新しい巻芯１５０に巻き付けられる。これにより、退避位置Ｐ３の巻芯１５０に所定長のフィルム１ｂが巻き取られるとともに、切断されたフィルム１ｂが巻取位置Ｐ２の巻芯１５０に巻き付けられ、巻芯１５０の交換動作が終了される。
【００５２】
その後、モータ２１によりドラム５が加速されるとともに、フィルム１ｂの巻き付けが完了された巻芯１５０が巻替装置１００から放出される。なお、ドラム５の加速時には、外部電源５００（図１参照）からモータ２１に電力が供給されるとともに、蓄電装置２００からもモータ２１に電力が供給される。
【００５３】
以上の動作が繰り返し行われることによって、原反１のフィルム１ｂを巻芯１５０に巻き替えて、所定長のフィルム１ｂが巻き付けられた巻芯１５０を連続的に作成することが可能である。
【００５４】
［巻替動作時のモータの制御］
まず、フィルム１ｂの切断端１ｃが巻取位置Ｐ２の巻芯１５０に巻き付けられた時点ｔ０（図６参照）からドラム５が加速される。これにより、図６に示すように、ドラム５の表面速度が低速Ｎ１から高速Ｎ２まで上昇される。このドラム５の加速時には、外部電源５００の電力に蓄電装置２００の電力を加えてモータ２１を駆動するようにインバータ２２（図１参照）が制御される。
【００５５】
そして、ドラム５の表面速度が高速Ｎ２に達した時点ｔ１からドラム５の表面速度が一定にされる。このとき、外部電源５００の電力を用いてモータ２１を駆動するようにインバータ２２が制御される。なお、蓄電装置２００の充電状態によっては、外部電源５００の電力に蓄電装置２００の電力を加えてモータ２１を駆動するようにしてもよい。
【００５６】
その後、巻取位置Ｐ２の巻芯１５０により予め設定された長さのフィルム１ｂが巻き取られた時点ｔ２からドラム５が減速される。これにより、ドラム５の表面速度が高速Ｎ２から低速Ｎ１まで低下される。このドラム５の減速時には、モータ２１で発電された電力を蓄電装置２００に蓄電するようにインバータ２２が制御される。これにより、回生電力が蓄電装置２００に蓄電される。
【００５７】
そして、ドラム５の表面速度が低速Ｎ１に達した時点ｔ３からドラム５の表面速度が一定にされる。このとき、外部電源５００の電力を用いてモータ２１を駆動するようにインバータ２２が制御される。なお、蓄電装置２００の充電状態によっては、外部電源５００の電力に蓄電装置２００の電力を加えてモータ２１を駆動するようにしてもよいし、蓄電装置２００の電力のみを用いてモータ２１を駆動するようにしてもよい。
【００５８】
そして、ドラム５の表面速度が低速Ｎ１である状態で、ターレット機構７が旋回され、巻取位置Ｐ２に位置していた巻芯１５０が退避位置Ｐ３に移動されるとともに、巻芯供給位置Ｐ１に位置していた新しい巻芯１５０が巻取位置Ｐ２に移動される。その後、フィルム１ｂが切断され、切断端１ｄが退避位置Ｐ３の巻芯１５０に巻き取られるとともに、切断端１ｃが巻取位置Ｐ２に位置する新しい巻芯１５０に巻き付けられる。
【００５９】
そして、フィルム１ｂの切断端１ｃが巻取位置Ｐ２の巻芯１５０に巻き付けられた時点ｔ４からドラム５が加速される。
【００６０】
以上のように、巻替システム３００では、１つの巻芯１５０に対するフィルム１ｂの巻き付けを１サイクル（時点ｔ０〜ｔ４）とし、その１サイクルが繰り返し行われる。また、その１サイクル中において、ドラム５の加速および減速が行われ、ドラム５の減速時の回生電力が蓄電装置２００に蓄電される。なお、たとえば、時点ｔ０〜ｔ１の時間が０．５２５ｓｅｃであり、時点ｔ１〜ｔ２の時間が１．２ｓｅｃであり、時点ｔ２〜ｔ３の時間が０．５ｓｅｃであり、時点ｔ３〜ｔ４の時間が０．５７５ｓｅｃであり、１サイクルが２．８ｓｅｃである。
【００６１】
−効果−
本実施形態では、上記のように、ドラム５が減速される場合に、モータ２１で発電された電力を蓄電する蓄電装置２００を設けることによって、回生電力を蓄電して利用することができるので、巻替システム３００における消費電力量を抑制することができる。特に、この巻替装置１００では、原反１からのフィルム１ｂが数秒程度の短いサイクル毎に巻芯１５０に巻き替えられるため、ドラム５の加減速の頻度が高いことから、回生電力を有効に利用することができるので、巻替システム３００における消費電力量を効果的に抑制することができる。
【００６２】
また、本実施形態では、ドラム５が加速される場合に、蓄電装置２００からモータ２１に駆動用の電力を供給することによって、消費電力が大きいドラム５の加速時に回生電力を利用することにより、最大消費電力が大きくなるのを抑制することができる。
【００６３】
また、本実施形態では、ドラム５の表面速度が高速Ｎ２であるときに、巻取位置Ｐ２の巻芯１５０によりフィルム１ｂの巻き取りを行い、ドラム５の表面速度が低速Ｎ１であるときに、フィルム１ｂを巻き取る巻芯１５０の交換を行うことによって、巻芯１５０が所定長のフィルム１ｂを巻き取るのに必要な時間（１サイクルの時間）を短くしながら、巻芯１５０の交換を適切（安定的）に行うことができる。
【００６４】
−他の実施形態−
なお、今回開示した実施形態は、すべての点で例示であって、限定的な解釈の根拠となるものではない。したがって、本考案の技術的範囲は、上記した実施形態のみによって解釈されるものではなく、実用新案登録請求の範囲の記載に基づいて画定される。また、本考案の技術的範囲には、実用新案登録請求の範囲と均等の意味および範囲内でのすべての変更が含まれる。
【００６５】
たとえば、本実施形態では、原反１がフィルム１ｂを有する例を示したが、これに限らず、原反がアルミ箔を有していてもよい。
【００６６】
また、本実施形態では、巻替システム３００が１つの巻替装置１００を備える例を示したが、これに限らず、巻替システムが複数の巻替装置を備えていてもよい。この場合には、各巻替装置におけるドラムの加速タイミングをずらすことが好ましい。このようにすれば、最大消費電力が大きくなるのを抑制することができる。
【００６７】
また、本実施形態では、ターレット機構７に８個のチャック機構１０が設けられる例を示したが、これに限らず、ターレット機構に複数のチャック機構が設けられていればよい。
【００６８】
また、本実施形態では、切断端１ｃにエアが吹き付けられることによって、その切断端１ｃが巻取位置Ｐ２に位置する巻芯１５０に巻き付けられる例を示したが、これに限らず、両面テープなどの接着材（図示省略）によって、切断端１ｃが巻取位置Ｐ２に位置する巻芯１５０に巻き付けられるようにしてもよい。
【００６９】
また、本実施形態において、エアが吹き付けられた切断端１ｃを巻芯１５０にガイドするガイド部材（図示省略）が設けられていてもよい。このガイド部材は、巻取位置Ｐ２の巻芯１５０の上方に昇降可能に設けられており、切断端１ｃを巻芯１５０に巻き付ける際に下降され、切断端１ｃの巻き付けが完了されると上昇されて退避するようになっている。なお、ガイド部材が下降された状態では、巻芯１５０およびドラム５に対してガイド部材が僅かに離間し、ガイド部材と巻芯１５０との間にフィルム１ｂの案内経路を形成している。
【符号の説明】
【００７０】
１      原反
１ｂ    フィルム（フィルム状物品）
５      ドラム
７      ターレット機構（旋回部材）
２１    モータ
１００  巻替装置
１５０  巻芯
２００  蓄電装置
３００  巻替システム
【図１】
0003183892.tif 000003
【図２】
0003183892.tif 000004
【図３】
0003183892.tif 000005
【図４】
0003183892.tif 000006
【図５】
0003183892.tif 000007
【図６】
0003183892.tif 000008